(57)【要約】【課題】  排泄口周辺や女性の局部周辺の汚れを簡単に洗浄することができ、しかもコンパクトに携行できる携帯用洗浄器を提供する。【解決手段】  洗浄用液体２６を貯留する容器２ａと、この容器の開口に覆設される蓋３ａと、この蓋３ａに着脱可能に垂設されて洗浄用液体を導出するノズル４ａと、このノズル４ａの端部に着脱可能に連設されるヘッド部５とを有する携帯用洗浄器であって、蓋３ａは、その外縁近傍にノズルの垂設口６を備え、ノズル４ａは、蓋３ａの外縁から中心へ向かう方向に湾曲又は屈曲する携帯用洗浄器１ａによる。【選択図】  図１
2007061599.tif 000002
【特許請求の範囲】
【請求項１】
洗浄用液体を貯留する容器と、前記容器の開口に覆設される蓋体と、前記蓋体に着脱可能に垂設されて前記洗浄用液体を導出するノズルと、前記ノズルの端部に着脱可能に連設されるヘッド部とを有する携帯用洗浄器であって、
前記蓋体は、その外縁近傍に前記ノズルの垂設口を備え、
前記ノズルは、前記蓋体の前記外縁から中心へ向かう方向に湾曲又は屈曲することを特徴とする携帯用洗浄器。
【請求項２】
洗浄用液体を貯留する容器と、前記容器の開口に覆設される蓋体とを有する携帯用洗浄器であって、
前記蓋体は、前記蓋体の外縁近傍に垂設され前記洗浄用液体を導出するノズルを備え、
前記ノズルは、その端部に連設される着脱可能なヘッド部と、前記ノズルを前記容器側面側へ折畳み可能にする蛇腹部を前記ノズルの基部近傍に備え、前記蓋体の前記外縁から中心へ向う方向に湾曲又は屈曲することを特徴とする携帯用洗浄器。
【請求項３】
洗浄用液体を貯留する容器と、前記容器の吐出口に垂設され前記洗浄用液体を導出するノズルと、前記ノズルの端部に着脱可能に連設されるヘッド部とを有する携帯用洗浄器であって、
前記ノズルは湾曲又は屈曲し、
前記容器の垂直断面は、前記吐出口を基点に前記容器の底部に向って略Ｖ字形をなし、前記容器の左右側部を押圧すると前記容器の吐出口を基点に左右側部が密着して前記容器の容積が略０（ゼロ）になるように圧潰されることを特徴とする携帯用洗浄器。
【請求項４】
請求項２に記載の携帯用洗浄器であって、
前記ノズルは、前記ノズルの蛇腹部の外側面を被覆する管状体を備え、前記蛇腹部の折畳みを妨げることを特徴とする携帯用洗浄器。
【請求項５】
洗浄用液体を貯留する容器と、吐出口を備えて前記容器の開口に覆設される蓋体と、前記蓋体の吐出口に挿着されて前記洗浄用液体を導出するノズルと、前記ノズルの端部に一体に連設されるヘッド部とを有する携帯用洗浄器であって、
前記ノズルは、湾曲又は屈曲し、前記蓋体の吐出口から前記容器内に収納可能であることを特徴とする携帯用洗浄器。
【請求項６】
請求項１乃至請求項５に記載の携帯用洗浄器であって、
前記ヘッド部は、前記洗浄用液体の流動方向と略直交する平面により少なくとも２に分割され、軸部を備えて前記洗浄用液体の流動方向に積層され、前記洗浄用液体の縦貫を可能にする少なくとも１の連穿孔を備え、分割されたヘッド部を前記軸部を中心に回動させて前記連穿孔の連通／不通の切替を行うことを特徴とする携帯用洗浄器。 
【発明の詳細な説明】
【技術分野】
【０００１】
本発明は主に便や尿の排泄口周辺や、女性の局部周辺を洗浄するための携帯用洗浄器に関する。
【背景技術】
【０００２】
便や尿の排泄や、女性の生理による経血の排泄は人体の生理機能を維持する上で不可欠であるものの、この排泄行為により便や尿の排泄口や女性の局部周辺は不衛生になりがちであり、不快なだけでなく、例えば、膀胱炎等の感染症や痔、その他婦人病の原因の一つにもなっていた。
このような課題に対処するため、近年、固定式の電動洗浄便座が急速に普及したり、あるいは、使い捨ての女性用の膣内洗浄器等が市販されたりしているが、日常生活において、例えば外出先等で、いつでもどこでも快適に排泄後の汚れ等を洗浄できる環境が整っているとはいえない。
【０００３】
このような課題に対処するため、いくつかの発明及び考案が開示されている。
たとえば、特許文献１には「携帯用手動おしり洗浄器」という名称で、操作が簡単で実用的であり、また、軽量でしかも安価に提供できるおしり洗浄器に関する発明が開示されている。
特許文献１に記載される発明は、洗浄液容器の円錐形注入口に、洗浄液容器の長さ方向と同じ方向に伸びる棒状のノズル体が設けられた、携帯用のおしり洗浄器であり、このノズル体は「携帯用手動おしり洗浄器」の不使用時に円錐形注入口から洗浄液容器内部に貯留できるよう構成されるものである。
上記構成の「携帯用手動おしり洗浄器」は、トイレ等において排泄行為が終わった後に、ノズル体の先端部に設けられる噴射孔が洗浄を要する箇所に向くようにしてノズル体を股の間から差し入れて、洗浄液容器を手で押圧して洗浄液を噴射孔から噴出させて浄を要する箇所を洗浄するのである。
また、洗浄液容器の円錐形注入口には、ノズル体の挿通を可能にするキャップ体が設けられ、このキャップ体の円錐形注入口内側側面がノズル体の外側面に密着することで、洗浄液容器を傾けたり、押圧する際にキャップ体とノズル体の隙間から洗浄液が漏出するのを防止している。また、このような構成により、当該発明の使用時にノズル体の揺動を防いでノズル体をしっかりと保持することができる。さらに、ノズルの先端の噴出孔にはキャップが設けられており、携帯時に洗浄液が噴出孔から漏れ出さないよう構成されている。
上記構成の特許文献１の発明によれば、洗浄液を貯留した「携帯用手動おしり洗浄器」をコンパクトな形で持ち運ぶことができる。また、当該発明は手動により洗浄液を噴出させることができるので、使用時に電源の確保を心配する必要がなく経済的である。
【０００４】
また、特許文献２には、「携帯用おしり洗浄器」という名称で、洗浄液を導出するノズルを使い捨てにできるおしり洗浄器に関する考案が開示されている。
特許文献２に係る考案は、洗浄液を貯留する容器の吐出口にノズルを延設するものであり、使用方法は、特許文献１に係る発明と同じである。
また、特許文献１の発明に係るノズル体は洗浄液容器内に収容可能であり、ノズル体を繰り返し使用することができるのに対し、当該考案に係るノズルは、その先端が体の洗浄必要箇所になるべく近づくように、人の体に向って略直角に折り曲げられている。このため、洗浄後の液がノズルにかかったり、ノズルの先端が洗浄を必要とする場所に触れる等してノズルが汚染される可能性が高いことから、ノズルは使い捨てできるよう構成されている。
また、ノズルを装着しない容器の吐出口には、別体の蓋を装着することで容器を携帯する際の洗浄液の漏出を防ぐことができる。
上記構成の特許文献２に係る考案によれば、ノズルの汚染を心配する必要がないので、洗浄が必要な箇所にノズルの導出口をできるだけ近づけて洗浄液を噴出させ、汚れを洗浄することができる。このため、「携帯用おしり洗浄器」の洗浄力が増して衛生的である。また、ノズルを使い捨てにすることで、当該考案に係る容器を他の携行物と一緒に持ち運ぶ際にも衛生面での心配をする必要がない。
【０００５】
【特許文献１】特開平１１−７００５７号公報
【特許文献２】実開平６−８１３９３号公報
【発明の開示】
【発明が解決しようとする課題】
【０００６】
しかしながら、上述の特許文献１に開示された発明においては、洗浄液容器とノズル体は略一直線上に配置されている。このため、「携帯用手動おしり洗浄器」を股の間に差し入れて使用する際に、例えば、洗浄液をより奥まった場所に噴出させようとして「携帯用手動おしり洗浄器」を使用者の体側に傾けた場合、この動きに連動してノズル体の先端部が便器側に向って回動し、ノズルの先端部が便器の内面に接触して不衛生になる恐れがあった。
また、使用者が「携帯用手動おしり洗浄器」を使って洗浄必要箇所を洗浄する場合、使用者は洗浄必要箇所が洗浄される様子を直接見ることができない。このため、直線で構成される細いノズル体の形状は使用者に対して本能的な恐怖感を抱かせ、「携帯用手動おしり洗浄器」の使用に抵抗を感じさせてしまうという課題があった。
また、当該発明において、円錐型注入口は洗浄液容器の上端部中央に設けられているため、洗浄液容器を傾けて使用する際に円錐型注入口の回りに洗浄液が残ってしまい、洗浄液を完全に使い切ることができないという課題もあった。
さらに、この「携帯用手動おしり洗浄器」の噴出孔は直線状のノズル体の端部に単に穴が穿設されており、使用者が「携帯用手動おしり洗浄器」を使って洗浄必要箇所を洗浄する場合に、噴出孔がどこを向いているのかを都度確認する必要があり煩雑であった。
【０００７】
また、特許文献２に開示された考案においても、洗浄液を噴出させるノズルは容器の長さ方向略中央部に設けられているため、一旦、ノズルを股間に差し入れた後は容器を把持する手の感触だけで屈曲するノズルを、適切な位置や向きに配置することは困難であった。このため、誤ってノズルを体に接触させてしまう恐れがあり、最悪の場合にはデリケートな部分をノズルで傷つけてしまう恐れがあった。また、そうでない場合であってもデリケートな部分を傷つけてしまうのではないかという恐怖心を抱かせてしまい、「携帯用おしり洗浄器」の使用に抵抗を感じさせてしまうという恐れがあった。
【課題を解決するための手段】
【０００８】
本発明は係る従来の事情に対処してなされたものであり、洗浄用液体の放出位置を調節するために携帯用洗浄器の保持角度を調整した場合であっても、ノズルの先端部や洗浄液を貯留する容器が便器等に接触しにくく、かつ携帯用洗浄器の使用時に使用者に恐怖感を抱かせないような形状を有し、さらに、携帯しやすく取扱いが簡易な携帯用洗浄器を提供することにある。
【０００９】
上記目的を達成するため、請求項１記載の発明である携帯用洗浄器は、洗浄用液体を貯留する容器と、この容器の開口に覆設される蓋体と、この蓋体に着脱可能に垂設されて洗浄用液体を導出するノズルと、ノズルの端部に着脱可能に連設されるヘッド部とを有する携帯用洗浄器であって、蓋体は、その外縁近傍にノズルの垂設口を備え、ノズルは、蓋体のその外縁から中心へ向かう方向に湾曲又は屈曲することを特徴とするものである。
上記構成の携帯用洗浄器において、容器は洗浄用液体を貯留し、容器が押圧された際に蓋体の垂設口から吐出される洗浄用液体を付勢するという作用を有する。蓋体に設けられる垂設口はノズルの装着を可能にするという作用を有する。また、蓋体の外縁近傍に備えられる垂設口は、容器をその垂設口が下方にくるように保持することで貯留される洗浄用液体を残さずノズルへ導出するという作用を有する。
また、ノズルは、垂設口から導出される洗浄液をヘッド部に導くという作用を有する。さらにこのノズルが、蓋体の垂設口が設けられた外縁から中心へ向かう方向に湾曲又は屈曲することで、便器に腰掛けて使用する際にノズルの湾曲又は屈曲部分の凸側を下方側にすれば、前述のとおり洗浄用液体を残さず利用可能に垂設口が下方へ位置されると同時に、ヘッド部及び容器をノズルの湾曲又は屈曲部分よりも上方に位置させるという作用を有する。また、このような状態では、ヘッド部から放出される洗浄用液体の方向を調整するために容器の傾斜角度や構えの位置を変化させる際に、ノズルの湾曲又は屈曲部分より上方で動作可能であり、ヘッド部あるいは容器が便器の内面あるいは使用者の皮膚などに接触し難いという作用を有する。さらに、そもそも湾曲又は屈曲するノズルの形状は、使用者に洗浄液が放出される方向を視覚的に示唆するという作用を有する。
最後に、ヘッド部は、洗浄液の放出位置を使用者に視認させるという作用を有し、さらに、洗浄液を放出するという作用を有する。
【００１０】
また、請求項２に記載の発明である携帯用洗浄器は、洗浄用液体を貯留する容器と、この容器の開口に覆設される蓋体とを有する携帯用洗浄器であって、蓋体は、蓋体の外縁近傍に垂設され洗浄用液体を導出するノズルを備え、このノズルは、その端部に連設される着脱可能なヘッド部と、このノズルを容器側面側へ折畳み可能にする蛇腹部をノズルの基部近傍に備え、蓋体のその外縁から中心へ向う方向に湾曲又は屈曲することを特徴とするものである。
上記構成の携帯用洗浄器は、請求項１記載の発明である携帯用洗浄器とほぼ同一の作用を有するのであるが、請求項２記載の発明である携帯用洗浄器は、ノズルが蓋体と一体に構成されることで、蓋体とノズルの接続部分からの洗浄用液体漏出を妨げるという作用を有する。また、ノズルの基部近傍の蛇腹部は、ノズルを容器側面側へ折畳み可能にするという作用を有する。
【００１１】
さらに、請求項３に記載の発明である携帯用洗浄器は、洗浄用液体を貯留する容器と、この容器の吐出口に垂設され洗浄用液体を導出するノズルと、このノズルの端部に着脱可能に連設されるヘッド部とを有する携帯用洗浄器であって、ノズルは湾曲又は屈曲し、容器の垂直断面は、吐出口を基点に容器の底部に向って略Ｖ字形をなし、容器の左右側部を押圧すると容器の吐出口を基点に左右側部が密着して容器の容積が略０（ゼロ）になるように圧潰されることを特徴とするものである。
上記構成の携帯用洗浄器において、この容器の吐出口に垂設されるノズル及びヘッド部は、請求項１記載の発明である携帯用洗浄器に係るノズル及びヘッド部と同じ作用を有する。
また、上記構成の携帯用洗浄器における容器は、容器の垂直断面が吐出口を基点に容器の底部に向って略Ｖ字形をなすことにより、容器の左右側面が押圧された際に容器内の洗浄用液体を吐出口へと誘導するという作用を有する。さらに、洗浄用液体吐出後の容器の形状を略平板状に折り畳まれた形状にするという作用を有する。また、上述のような形状に構成された容器は、容器が圧潰される際の押圧力で導出される洗浄用液体を効率よく付勢するという作用を有する。
【００１２】
また、請求項４に記載の発明である携帯用洗浄器は、請求項２に記載の携帯用洗浄器であって、ノズルは、このノズルの蛇腹部の外側面を被覆する管状体を備え、蛇腹部の折畳みを妨げることを特徴とするものである。
上記構成の携帯用洗浄器は、請求項２記載の発明である携帯用洗浄器と同じ作用を有し、さらに、その作用に加え、管状体は上記構成の携帯用洗浄器を使用する際に、ノズルが意図しない方向に屈曲するのを妨げるという作用を有する。
【００１３】
また、請求項５に記載の発明である携帯用洗浄器は、洗浄用液体を貯留する容器と、吐出口を備えて前記容器の開口に覆設される蓋体と、蓋体の吐出口に挿着されて前記洗浄用液体を導出するノズルと、前記ノズルの端部に一体に連設されるヘッド部とを有する携帯用洗浄器であって、ノズルは、湾曲又は屈曲し、蓋体の吐出口から前記容器内に収納可能であることを特徴とする携帯用洗浄器。
上記構成の携帯用洗浄器において、容器は洗浄用液体を貯留し、容器が押圧された際に蓋体の吐出口から吐出される洗浄用液体を付勢するという作用を有する。また、請求項５に記載の携帯用洗浄器を使用しない場合にはノズルを収納するという作用を有する。蓋体に設けられる吐出口はノズルの挿着を可能にするという作用を有する。さらに、ノズルは吐出口から導出される洗浄液をヘッド部に導くという作用を有する。そして、このノズルが湾曲又は屈曲することで、洋便器に腰掛けて、あるいは、和便器を跨いだ状態で請求項５に記載の携帯用洗浄器を使用する際に洗浄液が放出される方向を使用者に視覚的に示唆すると同時に、ヘッド部あるいはノズル自体が便器の内面あるいは使用者の皮膚などに接触し難くするという作用を有する。また、ヘッド部は洗浄液の放出位置を使用者に視認させると同時に、洗浄液を放出するという作用を有する。
【００１４】
請求項６に記載の発明である携帯用洗浄器は、請求項１乃至請求項５に記載の携帯用洗浄器であって、ヘッド部は、洗浄用液体の流動方向と略直交する平面により少なくとも２に分割され、軸部を備えて洗浄用液体の流動方向に積層され、洗浄用液体の縦貫を可能にする少なくとも１の連穿孔を備え、分割されたヘッド部を軸部を中心に回動させて連穿孔の連通／不通の切替を行うことを特徴とするものである。
上記構成の携帯用洗浄器は、請求項１乃至請求項５に記載の携帯用洗浄器に係るそれぞれの作用に加え、少なくとも２に分割されたヘッド部に穿設される少なくとも１の連穿孔は、洗浄用液体のヘッド部内部の縦貫を可能にするという作用を有する。
また、軸部は少なくとも２に分割されたヘッド部の回動を可能にするという作用を有し、少なくとも２に分割されたヘッド部は、洗浄用液体の流動方向を基軸に回動して連穿孔の連通／不通の切替を可能にするという作用を有する。
【発明の効果】
【００１５】
以上説明したように、請求項１記載の携帯用洗浄器によれば、使用者は携帯用洗浄器に洗浄用液体を貯留して持ち歩くことができ、容器内に貯留された洗浄用液体を手動でヘッド部から放出して、洗浄が必要な箇所を自ら洗浄することができる。
また、蓋体に設けられる垂設口の位置や、湾曲又は屈曲したノズルの形状は使用者に視覚情報として認識され、この情報をもとに使用者は、直接見えない場所において放出される洗浄用液体の放出方向を予測しながら洗浄用液体の放出方向を自在に制御することができる。洗浄用液体はヘッド部から放出されるため、使用者が直接目視できない股の間にノズルを介挿した場合であっても、使用者が恐怖心を抱く心配がなく、従って、使用者は安心して洗浄が必要な箇所を洗浄することができる。
さらに、ヘッド部から洗浄用液体を適正に斜め上方に放出すると自動的に垂設口が下側に位置するので、その状態に容器を保持すれば洗浄用液体を残さず使用可能である。ノズルは湾曲又は屈曲しているため、洗浄用液体の放出方向を容器の傾斜角度や構えの位置を変化させて調整する場合は、ノズルの湾曲又は屈曲部分より上方で可能であり、ヘッド部あるいは容器が便器の内面や使用者の皮膚などへ接触することを防止可能である。
また、請求項１記載の携帯用洗浄器に係るノズルは、垂設口から取外すことができるので、携帯用洗浄器をコンパクトな形で持ち運ぶことができる。
【００１６】
また、請求項２記載の携帯用洗浄器は、請求項１に記載の発明とほぼ同じ効果を有するものであるが、請求項２に記載の発明は、ノズルが蓋体と一体に構成されるため、携帯用洗浄器の使用中にノズルが落脱する心配がない。また、ノズルの基部近傍に蛇腹部を備えることで、不使用時にノズルを容器の外側面側に折り畳むことができる。このため、請求項２記載の携帯用洗浄器もコンパクトな形で持ち運ぶことができる。
【００１７】
さらに、請求項３記載の携帯用洗浄器によれば、請求項１又は請求項２記載の発明の場合と同様に使用者は携帯用洗浄器に洗浄用液体を貯留して持ち歩くことができ、容器に貯留した洗浄用液体を手動でヘッド部から放出して、洗浄が必要な箇所を自ら洗浄することができる。
また、湾曲又は屈曲したノズルの形状は使用者に視覚情報として認識され、この情報をもとに使用者は、直接見えない場所において放出される洗浄用液体の放出方向を予測しながら洗浄用液体の放出方向を自在に制御することができる。このため、使用者は所望場所に洗浄用液体を放出して洗浄することができる。
また、洗浄用液体はヘッド部から放出されるため、使用者が直接目視できない股の間に使用者がノズルを介挿した場合であっても、使用者が本能的な恐怖心を抱く心配がなく、従って、使用者は安心して洗浄が必要な箇所を洗浄することができる。
また、請求項３記載の携帯用洗浄器に係るノズルは、吐出口から取外すことができるので、携帯用洗浄器をコンパクトな形で持ち運ぶことができる。
さらに、請求項３記載の携帯用洗浄器は、不使用時に容器を略平板状に折り畳むことができるので、請求項１又は請求項２の発明に比べ一層コンパクトな形で持ち運ぶことができる。
【００１８】
また、請求項４記載の携帯用洗浄器は、請求項２記載の携帯用洗浄器の効果に加えて、使用時に蛇腹部が意図しない方向に屈曲しないよう直線上に保持することができるので、使用者は安心して洗浄作業を行うことができる。
【００１９】
また、請求項５記載の携帯用洗浄器によれば、容器内に貯留された洗浄用液体を手動でヘッド部から放出して、洗浄が必要な箇所を自ら洗浄することができるという効果を有する。
また、湾曲又は屈曲したノズルの形状は使用者に視覚情報として認識され、この情報をもとに使用者は、直接見えない場所において放出される洗浄用液体の放出方向を予測しながら洗浄用液体の放出方向を自在に制御することができる。さらに、洗浄用液体はヘッド部から放出されるため、使用者が直接目視できない股の間にノズルを介挿した場合であっても、使用者が恐怖心を抱く心配がなく、従って、使用者は安心して洗浄が必要な箇所を洗浄することができるという効果を有する。
そして、ノズルが湾曲又は屈曲することで、携帯用洗浄器の使用時にヘッド部あるいは容器が便器の内面や使用者の皮膚などへ接触することを防止できるという効果を有する。
また、請求項５記載の携帯用洗浄器に係るノズルは、吐出口から容器内に収納できるので、携帯用洗浄器をコンパクトな形で持ち運ぶことができる。
【００２０】
最後に、請求項６記載の携帯用洗浄器は、ヘッド部を回動させることで連穿孔の連通／不通の選択が可能となり、この結果、洗浄用液体の放出／停止を選択することができるので、携帯用洗浄器の汎用性を高めることができる。
【発明を実施するための最良の形態】
【００２１】
以下に、本発明の第１の実施の形態に係る携帯用洗浄器を図１乃至図３を参照しながら説明する。（特に、請求項１及び請求項６に対応）
【００２２】
図１（ａ）は本発明の第１の実施の形態に係る携帯用洗浄器の概念図であり、（ｂ）は図１中の符号Ａ−Ａにおける矢視断面図である。また、図２は本発明の第１の実施の形態に係る携帯用洗浄器の使用状態図である。なお、本実施の形態においては、携帯用洗浄器１ａを例えば洋式便器において使用する場合を例に挙げて説明しているが、携帯用洗浄器１ａは洋式・和式を問わずどのような便器においても使用することができる。
本発明の第１の実施の形態に係る携帯用洗浄器１ａは、手動で洗浄用液体を放出させて、便や尿の排泄口や女性の局部周辺の汚れを洗浄する際使用するための器具であり、実際に使用する場合には、図２に示すように、人１５の脚部１５ａの間、即ち、股間にノズル４ａを介挿させて容器２ａを斜め下向きに傾け、容器２ａの外側面を手で押圧して容器２ａ内に貯留される洗浄用液体２６をヘッド部５の放出口１４から放出して、この洗浄用液体２６で排泄口や女性の局部周辺の汚れを洗浄するものである。
【００２３】
まず、本発明の第１の実施の形態に係る携帯用洗浄器１ａを図１を参照しながら説明する。
図１（ａ）,（ｂ）に示すように、携帯用洗浄器１ａは主に、蓋３ａを有する容器２ａと、放出口１４とシャワー切替機能を備えるヘッド部５を有するノズル４ａにより構成され、蓋３ａの外縁２５近傍には容器２ａ内の洗浄用液体をノズル４ａへと導出する垂設口６が設けられている。また、この垂設口６には、垂設口６から蓋３ａの中心、すなわち、垂設口６から図中の符号Ｃで示す位置に向う方向に屈曲するノズル４ａが垂設され、垂設口６から導出される洗浄用液体をヘッド部５へと導いている。なお、ヘッド部５の詳細については後述する。
このように、垂設口６を蓋３ａの外縁２５近傍に設けることで、図２に示すように、ノズル４ａを斜め下方に向け、容器２ａの底部が斜め上方を向くように容器２ａを傾けて保持した場合に、容器２ａに貯留される洗浄用液体の全てを確実に垂設口６から導出することができる。
また、図２に示すように、人１５は便座１７に座っており、この時人１５の断面及び洋式便器１６の断面はいずれも湾曲する曲線により構成されている。そして、携帯用洗浄器１ａを使用するための空間である人１５と便器１６の間の空間は必ずしも広いとはいえない。
他方、例えば、図２において、使用者が洗浄用液体２６を図に示す位置よりもさらに後方へと、すなわち、おしり側に向けて放出しようとして、容器２ａを自らの体側へ、すなわち、図中の符号Ｍで示す方向へと傾けた場合には、この動作に連動してノズル４ａの先端に連設されるヘッド部５は便器１６側へと変位する、すなわち、図中の符号Ｎで示す方向に変位する。また、使用者が容器２ａを自らの体から離れる側に傾けた場合には、ヘッド部５は逆方向に傾斜して変位する。
このため、ノズル４ａを直線状に形成した場合や、あるいは、ノズル４ａの端部が人１５に向うように略直角に屈曲させた場合には、使用者が容器２ａの垂直平面における保持角度を変えた際に、ヘッド部５が便器１６や人１５に接触して不衛生になる恐れがあった。
そこで、図２に示すように、ノズル４ａを図１（ａ）,（ｂ）における垂設口６が設けられた外縁から蓋３ａの中心に向う方向に湾曲又は屈曲させることで、使用者が容器２ａの垂直方向の保持角度を変えた場合のヘッド部５の変位を小さくすることができる。この結果ヘッド部５や容器２ａが人１５あるいは便器１６に接触する可能性が低くなり衛生的である。
【００２４】
本実施の形態に係る携帯用洗浄器１ａにおいては、図１（ａ）,（ｂ）に示すように、ノズル４ａは、まずノズル４ａの長さ方向略中心において、垂設口６から蓋３ａの中心に向う方向に緩やかに屈曲し、さらに、ヘッド部５の近傍において再度、同じ方向に屈曲し、最終的にノズル４ａの垂設軸２７とヘッド部５の指向軸２８のなす角が約９０°〜１２５°となるよう構成されている。なお、ノズル４ａの垂設軸２７とヘッド部５の指向軸２８のなす角は約４５°〜１３５°となるよう構成してもよい。
このように、ノズル４ａを徐々に屈曲させてノズル４ａの垂設軸２７とヘッド部５の指向軸２８のなす角が約９０°〜１２５°となるよう構成することで、即ち図１（ｂ）中の符号Ｉで示す角度が約９０°〜１２５°になるようノズル４ａを屈曲させることで、ノズル４ａの形状が人１５の股部分の断面形状、あるいは、便器１６の断面形状に近づき、使用者が携帯用洗浄器１ａの垂直方向の保持角度を変えた場合であっても、ヘッド部５や容器２ａは人１５や便器１６に接触しにくくなる。
また、あるいは約４５°〜１３５°となるように構成することで、特に鋭角とする場合には、垂設口６を下方に向けて使用する際にヘッド部５の指向軸２８が上方を向くので使用が容易となる。また、鈍角側を拡げることでより柔軟に人１５や便器１６に対応可能となる。
なお、本実施の形態においてはノズル４ａを２段階に分けて屈曲した場合を例に挙げて説明したが、ノズル４ａを徐々に湾曲させて、最終的にノズル４ａの垂設軸２７とヘッド部５の指向軸２８のなす角が約９０°〜１２５°となるよう、あるいは約４５°〜１３５°となるよう構成してもよいし、湾曲と屈曲を組み合わせて最終的にノズル４ａの垂設軸２７とヘッド部５の指向軸２８のなす角が約９０°〜１２５°となるよう、あるいは約４５°〜１３５°となるよう構成してもよい。
【００２５】
さらに、蓋３ａの垂設口６には、ノズル４ａの落脱と洗浄用液体２６の漏出を防止するためのパッキン７が設けられ、また、蓋３ａにはノズル４ａを取外して容器２ａを携行する際に、垂設口６を密閉するためのキャップ８が備えられ、このキャップ８は連結帯９により蓋３ａに連結されている。このキャップ８は蓋３ａと別体に設けてもよいが、紛失する可能性もあり、このように蓋３ａと一体に構成しておくと便利である。
なお、ノズル４ａ及びキャップ８の装着方法は、垂設口６にキャップ８を覆設しても良いし、あるいは、図示しないが垂設口６にノズル４ａやキャップ８を螺設してもよいし、パッキン７を用いることなく嵌設してもよい。
また、容器２ａの外側面には取外したノズル４ａを掛着するための保持部１０ａ,１０ｂが設けられており、容器２ａの曲面に湾曲又は屈曲するノズル４ａを沿わせるように掛着すれば、携帯用洗浄器１ａをコンパクトに持ち運ぶことができる。
【００２６】
次に、ヘッド部の構成、作用及び効果について図３を参照しながら説明する。
図３（ａ）は図１中の符号Ｂで示す部分の部分断面図であり、（ｂ）は図１中の符号Ｂで示す部分の部分概念図である。なお、図１及び図２に記載されたものと同一部分については同一符号を付し、その構成についての説明は省略する。
図３（ａ）に示すように、ノズル４ａの端部にはヘッド部５が着脱可能に螺設され、ノズル４ａから導かれる洗浄用液体を、すなわち、図３（ａ）中の符号Ｅで示す方向から供給される洗浄用液体を、放出口１４から洗浄が必要な箇所に向かって放出する構成になっている。
本来、このヘッド部５は、携帯用洗浄器１ａの使用に際して必須の構成要素ではないが、人はデリケートな部分に細い棒状の物体を差し向ける場合に本能的に恐怖を感じる場合が多く、機能的な形状がかえって使用しづらい場合がある。
このため、このような本能的な恐怖心や緊張感を緩和する目的で、本実施の形態に係る携帯用洗浄器１ａのノズル４ａ端部にはヘッド部５が設けられているのである。
なお、本実施の形態に係る携帯用洗浄器１ａにおいては、万一人の体にヘッド部５が接触した場合であっても、人の体を傷つけることがないよう、ヘッド部５の形状は略球形としているが、ヘッド部５が柔らかな曲線を主体とした形状であれば人の体を傷つける心配が少ないため、例えば、アニメ等のキャラクターの形状を模した形状でもよく、使用者の好みに応じて適宜変更されて良い。
さらに、本実施の形態に係る携帯用洗浄器１ａにおいては、ヘッド部５の汎用性を高める目的でヘッド部５にシャワー機能を備えた構成としている。
【００２７】
以下、このシャワー機能を発揮するための構造について詳細に説明する。
図３（ａ），（ｂ）に示すように、ヘッド部５は洗浄用液体の流動方向に積層される導入部５ａ，放出部５ｂにより構成され、この放出部５ｂは軸部１２により導入部５ａに連設されている。また、導入部５ａの内部には孔１１ｂが穿設され，放出部５ｂの内部には孔１１ａ，１１ｃが導入部５ａの孔１１ｂに連続するように穿設されている。そして、軸部１２を基軸に放出部５ｂを回動させた場合において、孔１１ｂと孔１１ｃが連通した場合にのみ洗浄用液体が放出口１４ｂから放出され、放出部５ｂの回動状態によっては孔１１ｂと孔１１ｃが不通となる場合もあるような仕組みになっている。
なお、本実施の形態において孔１１ａは、軸部１２の軸芯部に穿設されているため、放出部５ｂを回動させる回動させないにかかわらず、常に孔１１ｂと連通状態にある。
つまり、本実施の形態においては、放出部５ｂの回動により孔１１ｂと孔１１ｃが連通しない場合は、洗浄用液体はヘッド部５の軸芯部に穿設される放出口１４ａのみから放出されて単噴射状態となり、放出部５ｂの回動により孔１１ｂと孔１１ｃが連通する場合は、放出口１４ａ,１４ｂの両方から洗浄用液体が放出されてシャワー状態となるのである。
本実施の形態において単噴射状態とシャワー状態の切替は、図３（ｂ）に示す凸部１３ｂを挟持して放出部５ｂを回動させることにより行なわれている。
この切替の原理を、孔１１ｂ1と孔１１ｃ1の場合を例に挙げて説明すると、いま、図３（ｂ）において、放出部５ｂに設けられる凸部１３ｂは、導入部５ａに設けられる凸部１３ａ1と重なり合うように配置されており、このとき、孔１１ｂ1と孔１１ｃ1は連通しているので、放出部５ｂの放出口１４ｂ1から洗浄用液体が放出されてシャワー状になる。一方、放出部５ｂの凸部１３ｂを凸部１３ａ2と重なり合うように回動させると、孔１１ｃ1は孔１１ａと凸部１３ａ2を結ぶ線上、すなわち、図３（ｂ）中の符号Ｈで示される線分上に移動するため、孔１１ｂ1と放出部５ｂの孔１１ｃ1は不通となり、放出口１４ａのみから洗浄用液体が放出される単噴射状態になるのである。
【００２８】
なお、本実施の形態においては、放出部５ｂの軸部１２に孔１１ａを１だけ穿設した場合を例に挙げて説明したが、必ずしも軸部１２に孔１１ａを穿設する必要はなく、例えば、軸部１２に孔１１ａを穿設しない場合には、上述のような切替機能を応用して洗浄用液体の放出／停止の切替え機能とすることができる。
また、軸部１２の断面径を大きくして、軸部１２に複数の孔１１ａを穿設してもよい。複数の孔１１ａを穿設した場合には、ヘッド部５の複数箇所から洗浄用液体が放出されるため携帯用洗浄器１ａの洗浄力を高めることができる。
さらに、放出部５ｂに断面径の異なる複数種類の孔１１ｃを穿設して上述のような切替機能を応用すれば、孔１１ｃを変更することで洗浄用液体放出時の水圧を調整することもできる。
なお、本実施の形態に係る携帯用洗浄器１ａにおいては、放出口１４ａ,１４ｂの形状を略円形としているが、使用者の好みに応じて、洗浄用液体の放出に差し支えない、例えば星型や三角形等の形状にしてもよい。
このように、本実施の形態に係る携帯用洗浄器１ａにおいては、ノズル４ａの先端に上述のような機能を有するヘッド部５を設けることで、使用者の心理的なストレスを解消することができ、また、連穿孔の切替機能を備えることで携帯用洗浄器１ａを汎用性の高いものにすることができる。
【００２９】
続いて、図４を参照しながら本発明の第２の実施の形態に係る携帯用洗浄器について説明する。（主に請求項２及び請求項４に対応）
図４は、本発明の第２の実施の形態に係る携帯用洗浄器の概念図である。なお、図１乃至図３に記載されたものと同一部分については同一符号を付し、その構成についての説明は省略する。
本発明第２の実施の形態に係る携帯用洗浄器１ｂは、上述の携帯用洗浄器１ａとほぼ同じ作用及び効果を有するものであるが、上述の第１の実施の形態に係る携帯用洗浄器１ａにおいてはノズル４ａと蓋３ａが別体に構成され、ノズル４ａが着脱可能に構成されていたのに対し、本発明の第２の実施の形態に係る携帯用洗浄器１ｂは、蓋体３ｂとノズル４ｂが一体に構成され、ノズル４ｂを折り畳んで収納するよう構成されている。
本発明第２の実施の形態に係る携帯用洗浄器１ｂは、図４に示すように、蓋体３ｂの外縁２５近傍にノズル体４ｂが垂設され、このノズル体４ｂの基部近傍には蛇腹部１８が設けられており、携帯用洗浄器１ｂを使用しない時にはノズル体４ｂを容器２ｂの側面側に折り畳むことができるよう構成されている。
また、この蛇腹部１８には、その外側面を被覆するように筒状体１９が設けられ、携帯用洗浄器１ｂの使用時にノズル体４ｂが蛇腹部１８で不意に意図しない方向に折れ曲がるのを防いでいる。
また、ノズル体４ｂを収納する場合には、筒状体１９をノズル体４ｂ中央の屈曲部分近傍にスライド移動させることによればノズル体４ｂをスムーズに折り畳むことができ、折り畳んだノズル体４ｂは、容器２ｂの外側面に設けられる保持部１０ｃに掛着することができる。
さらに、ノズル体４ｂの基部には筒状体１９を係止するためのストッパ２０が設けられており、筒状体１９がノズル４ａの屈曲部側、すなわち、図４中の符号Ｐで示す方向にずれ落ちるのを防止している。本実施の形態においてはストッパ２０の形状を、突起状としたが、必ずしもこの形状である必要はなくたとえばリング状でもよい。
上記構成の携帯用洗浄器１ｂによれば、本発明の第１の実施の形態に係る携帯用洗浄器１ａの場合に比べて、蓋体３ｂとノズル体４ｂの接続部分における水漏れの心配がない上、ノズル体４ｂの収納も簡単で携行するのに便利である。
【００３０】
続いて、本発明の第３の実施の形態に係る携帯用洗浄器の構成、作用及び効果について図５を参照しながら説明する。（主に請求項３に対応）
図５は、（ａ）は本発明の第３の実施の形態に係る携帯用洗浄器の部分側面図であり、（ｂ）その使用後の部分側面図である。なお、図１乃至図４に記載されたものと同一部分については同一符号を付し、その構成についての説明は省略する。
本発明の第３の実施の形態に係る携帯用洗浄器１ｃは、特に洗浄用液体を貯留する容器２ｃに特徴を有するものである。
図５（ａ）に示すように、携帯用洗浄器１ｃに係る容器は吐出口２１を基点に容器２ｃの側面が底部に向って略Ｖ字形をなすように広がっており、この略Ｖ字形をなすように広がる側面を容器２ｃの中心側に向って押圧することで、すなわち、図中の符号Ｊで示す方向から符号Ｋで示す方向に押圧することで、容器２ｃから導出される洗浄用液体を付勢できるよう構成されている。
なお、吐出口２１にはパッキン２２が設けられており、上述の本発明の第１の実施の形態に係るヘッド部５を備えるノズル４ａを着脱可能に装着することができる。従って、本発明の第３の実施の形態に係る携帯用洗浄器１ｃにおいても、第１及び第２の実施の形態に係る携帯用洗浄器１ａ及び１ｂと同様に、洗浄必要箇所を簡単に洗浄することができる。なお、ノズル４ａは、携帯用洗浄器１ｃの吐出口２１に螺設してもよいし、パッキン２２を用いることなく嵌設してもよい。
さらに、携帯用洗浄器１ｃは、容器２ｃ内の洗浄用液体２６を略完全に導出した後は、図５（ｂ）に示すように、容器２ｃを略平板状に折り畳むことができるので、容器が嵩張らず、特に携行する際に便利である。
【００３１】
本発明の第４の実施の形態に係る携帯用洗浄器の構成、作用及び効果について図６を参照しながら説明する。（主に請求項５に対応）
図６（ａ）は本発明の第４の実施の形態に係る携帯用洗浄器の一部を欠いて示す概念図であり、（ｂ）はノズルを容器内に収容した場合の概念図である。なお、図１乃至図５に記載されたものと同一部分については同一符号を付し、その構成についての説明は省略する。
図６（ａ）に示すように、本実施の形態に係る携帯用洗浄器１ｄは、図示しない洗浄液を貯留する容器２ｄの開口部に、上方側に向うにつれて縮径する吐出口３０を備えた蓋体２９が覆設され、さらに吐出口３０にはヘッド部３２を一体に備えるノズル３１が挿着されたものである。また、容器２ｄと蓋体２９の隙間からの水の漏出を防ぐため、容器２ｄと蓋体２９の間に、ゴムやシリコン又は合成樹脂等の弾性体から成るパッキンを設けても良い。
なお、ノズル３１とヘッド部３２は一旦別々に作製してから、たとえば、接着剤等でノズル３１とヘッド部３２を一体に構成してもよいし、ノズル３１とヘッド部３２が一体となった形状のまま、例えば、型抜き成形してもよい。さらに、ノズル３１の端部にヘッド部３２を螺設したり、着脱不能に嵌合させて取り付けても良い。
また、図６（ｂ）に示すように、ノズル３１は吐出口３０において上下方向にスライド可能に構成されており、携帯用洗浄器１ｄを使用しない場合にはノズル３１を容器２ｄの内部に収納して持ち運ぶことができるという効果を有する。
さらに、ノズル３１の先端には、たとえば、吐出口３０の直径よりも小さいヘッド部３２が設けられている。また、ノズル３１の容器２ｄ内の端部は切り口に向うにつれて拡径する掛着部３１ａが形成されている。このため、図６（ａ）に示すように、携帯用洗浄器１ｄを使用する際には吐出口３０に掛着部３１ａを面接触で密着させ、吐出口３０に掛着部３１ａを係止してノズル３１を固定することができるという効果を有し、その一方で、携帯用洗浄器１ｄを使用しない場合にノズル３１を容器２ｄ内に収容した際に、掛着部３１ａが容器２ｄの底部に届くことで、ノズル３１の容器２ｄ内への抜け落ちを防止できるという効果を有する。
そして、図６（ｂ）に示すように、本実施の形態に係る携帯用洗浄器１ｄにおいては、ノズル３１を容器２ｄ内に収容し、ヘッド部３２は吐出口３０から出たままの状態で、蓋体２９に着脱可能にキャップ３３を覆設してもよい。この場合、携帯用洗浄器１ｄの携帯時に吐出口３０とノズル３１の隙間から洗浄液が漏れた場合でも、容器２ｄの外に洗浄液が漏出するのを防止できるという効果を有する。なお、キャップ３３は必ずしも設けなくともよい。
また、ノズル３１の長さを図６（ｂ）に示すものより短くしてノズル３１とヘッド部３２を完全に容器２ｄの内部に収容できるよう構成してもよい。
さらにこの場合、キャップ３３を設けた場合には、キャップ３３は洗浄液が外部に漏れないように吐出口３０を塞いで密閉するという機能のみを備えていれば良いので、キャップ３３自体を小さくすることができ、しかも、携帯する際の携帯用洗浄器１ｄの大きさをコンパクトにできるという効果を発揮する。
さらに、ヘッド部３２の直径を吐出口３０の直径をよりも大きく設定して、ノズル３１の容器２ｄ内への抜け落ちを防止してもよい。また、その際にノズルの長さは、容器２ｄの底部から吐出口３０までの高さと同一あるいは短くすることで、ヘッド部３２がノズル３１の収納時に吐出口３０近傍に存在するようになり、特に、キャップ３３を設ける場合には、図６（ｂ）に示されるキャップ３３よりも小型にすることが可能である。もちろん、ノズル３１の長さが容器２ｄの底部から吐出口３０までの高さよりも長い場合でもよいが、その場合にキャップ３３を設ける場合は、図６（ｂ）に示されるようにヘッド部３２まで覆うことが可能なものであることが望ましい。
【００３２】
なお、本実施の形態に係る携帯用洗浄器１ｄにおいて、吐出口３０におけるノズル３１の固定方法は、上述のような方法以外に、たとえば、吐出口３０の内側に雌ネジを、ノズル３１の掛着部３１ａの外側に雄ネジを螺刻し、これらを螺合して固定してもよい。あるいは、ゴムやシリコン又は合成樹脂等の弾性体からなるパッキンを介して吐出口３０にノズル３１を係着してもよい。この場合、吐出口３０とノズル３１の接続を一層確実にすることができ、携帯用洗浄器１ｄを使用する際に吐出口３０とノズル３１の隙間から洗浄液が漏出するのを一層防止できるという効果を有する。
また、蓋体２９にキャップ３３を覆設する場合、蓋体２９にキャップ３３を螺設してもよいし、図６（ａ）,（ｂ）に示すように蓋体２９の外周に凸部２９ａを設けて蓋体２９とキャップ３３を嵌合により着脱可能に固定してもよい。いずれの場合も、洗浄液が外部に漏れるのを防止できるという効果を有する。
あるいは、蓋体２９に凸部２９ａを設ける代わりにゴムやシリコン等の弾性体から成るパッキンを周設することで、蓋体２９とキャップ３３の密閉性を高めることができ、洗浄液が外部に漏れるのを一層防止できるという効果を期待できる。
また、特にノズル３１を緩やかな略Ｓ字状に形成した場合には、容器２ｄ内にノズル３１を収容した際に、ヘッド部３２を吐出口３０の真上に配置することが可能となり、吐出口３０にキャップ３３を覆設できるという効果を発揮する。
さらに、キャップ３３の内側にヘッド部３２を引っ掛けるためのフックを設けることで、このフックにヘッド部３２を引っ掛けてキャップ３３を用いて容器２ｄからノズル３１を出し入れすることが可能となり、ノズル３１の出し入れを一層衛生的に行なえるという効果を発揮する。
【００３３】
また、先に述べたような第１,２の実施の形態に係る携帯用洗浄器１ａ,１ｂは、蓋３ａの外縁２５近傍に洗浄液を吐出するための垂設口６が設けられており、携帯用洗浄器１ａ,１ｂを特定の方向に傾けて使用する際に特に適しているのに対し、本実施の形態に係る携帯用洗浄器１ｄは、図６に示すように、吐出口３０が蓋体２９の略中央部に設けられているため、携帯用洗浄器１ｄをどのような方向に傾けても容器２ｄ内の洗浄液を吐出させやすいという効果を有している。この場合、携帯用洗浄器１ｄを用いて所望の場所を洗浄する際に使用するスペースを狭くすることができ、容器２ｄやノズル３１及びヘッド部３２が使用者の体や便器の内側に触れてしまって不衛生になる可能性を一層低減できるという効果を有する。
そして、このような携帯用洗浄器１ｄにおいて、吐出口３０に挿着するノズル３１の挿着軸３４と指向軸３５の成す角Ｑは、約４５°〜１３５°の範囲内であることが望ましい。これは、ノズル３１の挿着軸３４と指向軸３５の成す角Ｑが４５°に満たない場合や、１３５°を超える場合にはいずれも使用時に目的とする場所に洗浄液を命中させるのが困難になるという不具合が認められたためである。
本実施の形態に係る携帯用洗浄器１ｄは、老若男女、又は使用者の体型にかかわらず、あるいは、洋便器、和便器のいずれにおいても使用できる極めて汎用性の高いものである。また、本実施の形態に係る携帯用洗浄器１ｄは、育児用として、たとえば、乳幼児のおむつを替える際のおしり等の洗浄にも適し、さらに、介護が必要な方のための介助用の部分洗浄器としても使用可能である。
さらに、たとえば、ノズル３１の挿着軸３４と指向軸３５の成す角Ｑがそれぞれ異なるノズル３１を複数準備しておき、それぞれのノズル３１の先端に色や模様が異なるヘッド部３２を設けることによれば、携帯用洗浄器１ｄを使用する際に使用者が所望の洗浄場所を洗浄するのに最適なノズル３１を容易に選択することができ、携帯用洗浄器１ｄの利便性と汎用性を一層高めることができるという効果を発揮する。
【００３４】
以上説明したように、本発明の第１乃至第４の実施の形態に係る携帯用洗浄器１ａ〜１ｄによれば、いつでもどこでも簡単に排泄口周辺や女性の局部周辺の汚れを洗浄することができ、携帯もしやすく便利である。
また、本発明の第１乃至第４の実施の形態に係る携帯用洗浄器１ａ〜１ｄに係る容器２ａ〜２ｄの形状や、ノズル４ａ, ３１、ノズル体４ｂの形状はその機能を説明する目的で最も機能的な形状を図示したのであるが、必ずしも図１乃至図６に示す形状である必要はなく、たとえば、容器２ａ〜２ｄを動物の体に見立てたり、ノズル４ａ,４ｂ,３１の形状については、例えば動物のゾウの鼻やキリンの首に見立てたりして、親しみやすい色や形状を有する携帯用洗浄器１ａ〜１ｄとしてもよい。
このように、コミカルな色や形状にすることで携帯用洗浄器１ａ〜１ｄを、一層使いやすく、親しみやすくすることができる。
したがって、感染症や婦人病の予防に寄与しながら、日常生活を快適にすることができる。
【産業上の利用可能性】
【００３５】
本発明に係る携帯用洗浄器は、排泄口周辺や女性の局部周辺の汚れを簡単に洗浄することができ、しかもコンパクトに携行できる携帯用洗浄器に関するものであり、日用品や衛生用品に関する分野において利用の可能性が高い。
【図面の簡単な説明】
【００３６】
【図１】（ａ）は本発明の第１の実施の形態に係る携帯用洗浄器の概念図であり、（ｂ）は図１中の符号Ａ−Ａにおける矢視断面図である。
【図２】本発明の第１の実施の形態に係る携帯用洗浄器の使用状態図である。
【図３】（ａ）は図１中の符号Ｂで示す部分の部分断面図であり、（ｂ）は図１中の符号Ｂで示す部分の部分概念図である。
【図４】本発明の第２の実施の形態に係る携帯用洗浄器の概念図である。
【図５】（ａ）は本発明の第３の実施の形態に係る携帯用洗浄器の部分側面図であり、（ｂ）はその使用後の部分側面図である。
【図６】（ａ）は本発明の第４の実施の形態に係る携帯用洗浄器の一部を欠いて示す概念図であり、（ｂ）はノズルを容器内に収容した場合の概念図である。
【００３７】
１ａ〜１ｄ…携帯用洗浄器  ２ａ〜２ｄ…容器  ３ａ…蓋  ３ｂ…蓋体  ４ａ…ノズル  ４ｂ…ノズル体  ５…ヘッド部  ５ａ…導入部  ５ｂ…放出部  ６…垂設口  ６ａ…吐出口  ７…パッキン  ８…キャップ  ９…連結帯  １０ａ〜１０ｃ…保持部  １１ａ〜１１ｃ，１１ｃ1…孔  １２…軸部  １３ａ1，１３ａ2，１３ｂ…凸部  １４,１４ａ,１４ｂ, １４ｂ1…放出口  １５…人  １５ａ…脚部  １６…便器  １７…便座  １８…蛇腹部  １９…筒状体  ２０…ストッパ  ２１…吐出口  ２２…パッキン  ２３…キャップ  ２４…開口  ２５…外縁  ２６…洗浄用液体  ２７…垂設軸  ２８…指向軸  ２９…蓋体  ２９ａ…凸部  ３０…吐出口  ３１…ノズル  ３１ａ…掛着部  ３２…ヘッド部  ３３…キャップ  ３４…挿着軸  ３５…指向軸
【図１】
2007061599.tif 000003
【図２】
2007061599.tif 000004
【図３】
2007061599.tif 000005
【図４】
2007061599.tif 000006
【図５】
2007061599.tif 000007
【図６】
2007061599.tif 000008